(57)【要約】【課題】  釘等の球誘導部材を所望位置に容易に調整できるパチンコ遊技機を提供することを目的とする。【解決手段】  表示装置１１と、表示装置１１の前面側に配置され、その表示画面を透視可能な透明板１０とを有し、透明板１０に釘９を含む球誘導部材が調整可能に配設されているパチンコ遊技機であって、釘９を含む球誘導部材の調整に関する設定値を入力する設定入力装置７７と、設定制御基板７１と図柄制御基板３１等により、設定入力装置７７の設定値に応じた球誘導部材の調整位置を示す調整画面を表示装置１１に表示するようにした。【選択図】      図４
2006204608.tif 000002
【特許請求の範囲】
【請求項１】
表示装置の前面側に配置され、前記表示装置の表示画面を透視可能な透明板に釘を含む球誘導部材が調整可能に配設されたパチンコ遊技機であって、
前記球誘導部材の調整に関する設定値を入力する設定入力手段と、
前記設定入力手段の設定に応じた前記球誘導部材の調整位置を示す調整画面を、前記表示装置に表示する表示制御を行う調整画面表示制御手段と、
を備えることを特徴とするパチンコ遊技機。
【請求項２】
前記調整画面表示制御手段は、前記設定値ごとに作成した調整画面を、前記設定入力手段からの設定入力に基づいて前記表示装置に表示する表示制御を行うことを特徴とする請求項１に記載のパチンコ遊技機。
【請求項３】
前記調整画面は、特別遊技状態における払い出し球数を除いた、打ち込み球数に対する払い出し球数の割合を示した値を基準に作成した前記球誘導部材の調整画面であることを特徴とする請求項２に記載のパチンコ遊技機。
【請求項４】
前記調整画面は、打ち込み球数に対する払い出し球数の割合を示した値を基準に作成した前記球誘導部材の調整画面であることを特徴とする請求項２に記載のパチンコ遊技機。
【請求項５】
前記球誘導部材の調整画面データを、記録媒体を介して入力する調整画面データ入力手段をさらに備えたことを特徴とする請求項１乃至請求項４の何れか一項に記載のパチンコ遊技機。
【発明の詳細な説明】
【技術分野】
【０００１】
本発明はパチンコ遊技機に係り、特に遊技盤面に配設された釘等の球誘導部材の調整を行うのに好適なものである。
【背景技術】
【０００２】
従来のパチンコ遊技機にあっては、遊技盤面に立てられた釘等の球誘導部材を調整して出球率を変更しているが出球率の変更は釘調整者の勘や経験が必要であり、熟練した釘調整者でないと適切な釘調整を行うことができない。
このため、従来から熟練した釘調整者でなくても釘調整を容易に行うための各種提案がなされている。例えば特許文献１には黒丸マークが印刷された釘調整用の板部材をガラス枠に装着して釘調整を行うことが開示されている。
【特許文献１】特開２００４−１５４４６７公報
【発明の開示】
【発明が解決しようとする課題】
【０００３】
しかしながら、上記特許文献１に開示されている従来の釘調整方法は、黒丸マークを付けた釘調整用の板部材をガラス枠に装着し、この板部材を通して正面から遊技盤面を見て黒丸マークと対応する釘の頭部位置を確認したうえで、ガラス枠を開放して釘調整者が黒丸マークに対応するように釘調整を行う必要があり、釘調整作業が煩雑になるという欠点があった。
特に、熟練していない釘技術者が釘調整を行った場合は、板部材に付けた黒マークと釘の頭部を合致させるために釘調整作業を繰り返し行う必要があるため、釘調整作業に時間がかかるという欠点があった。
そこで、本発明は上記したような問題点を鑑みてなされたものであり、熟練した釘技術者でなくても、釘等の球誘導部材を所望位置に容易に調整できるパチンコ遊技機を提供することを目的とする。
【課題を解決するための手段】
【０００４】
上記目的を達成するため、請求項１記載の発明は、表示装置の前面側に配置され、前記表示装置の表示画面を透視可能な透明板に釘を含む球誘導部材が調整可能に配設されたパチンコ遊技機であって、前記球誘導部材の調整に関する設定値を入力する設定入力手段と、前記設定入力手段の設定に応じた前記球誘導部材の調整位置を示す調整画面を、前記表示装置に表示する表示制御を行う調整画面表示制御手段と、を備えることを特徴とする。
請求項２記載の発明は、前記調整画面表示制御手段が前記設定値ごとに作成した調整画面を、前記設定入力手段からの設定入力に基づいて前記表示装置に表示する表示制御を行う請求項１記載のパチンコ遊技機を特徴とする。
請求項３記載の発明は、前記調整画面が、特別遊技状態における払い出し球数を除いた、打ち込み球数に対する払い出し球数の割合を示した値を基準に作成した前記球誘導部材の調整画面である請求項２記載のパチンコ遊技機を特徴とする。
請求項４記載の発明は、前記調整画面が、打ち込み球数に対する払い出し球数の割合を示した値を基準に作成した前記球誘導部材の調整画面である請求項２記載のパチンコ遊技機を特徴とする。
請求項５に記載の発明は、前記球誘導部材の調整画面データを、記録媒体を介して入力する調整画面データ入力手段をさらに備えた請求項１乃至請求項４のいずれか一項に記載のパチンコ遊技機を特徴とする。
【発明の効果】
【０００５】
本発明によれば、設定入力手段の設定に応じた球誘導部材の調整位置を示す調整画面を表示装置に表示できるので、熟練した釘技術者でなくとも、表示装置に表示された調整画面に合わせて球誘導部材を調整するだけで、球誘導部材の調整を行うことができ、球誘導部材の調整作業を極めて容易化することができる。
また設定値ごとに作成した調整画面を設定入力手段からの設定入力に基づいて表示装置に表示できるので設定値に応じた球誘導部材の調整が可能になる。
また、本発明によれば、種種の調整画面を作成することができるので、ホール側は様々なゲーム性のパチンコ遊技機を実現することができる。
また、本発明によれば、前記球誘導部材の調整画面データを、記録媒体を介して入力することができるので、このような調整画面データを利用すれば、ホール側は様々なゲーム性のパチンコ遊技機を実現することができる。
【発明を実施するための最良の形態】
【０００６】
以下、本発明のパチンコ遊技機の実施形態について説明する。
図１は、本発明の実施形態に係るパチンコ遊技機の全体正面図である。
この図１に示すパチンコ遊技機１は、矩形形状の枠２を有し、この枠２の前面側には、その窓孔に対応して裏側から後述する遊技盤３が着脱可能に装着される。遊技盤３の前側にはガラス枠４が開閉可能に装着されている。ガラス枠４の下部には遊技球を貯留する上受け皿５が設けられている。また上受け皿５の下部には余剰球を貯留する下受け皿６と遊技球を発射する発射レバー７、スピーカ８等が設けられている。
図２は、本実施形態に係るパチンコ遊技機の遊技盤の構造説明図である。
この図２に示すパチンコ遊技機１の遊技盤３は、例えば透過性に優れたクリアパネルから成る透明板１０により構成され、その前面側には釘９や図示しない風車等の球誘導部材が取り付けられている。また遊技盤３には図示していないが始動口や大入賞口、電動式チューリップ等も設けられている。
そして、この透明板１０の背面側に表示装置１１が配置されている。表示装置１１は、液晶表示パネル等により構成され、その表示画面には通常遊技動作画像や、特別遊技状態が生起したことを示す特別遊技状態生起画像（大当たり画像（図１参照）、特別遊技状態画像等を表示するようにしている。
この場合、表示装置１１の表示制御はケーブル１２を介して接続されている遊技制御装置２０により行われる。
このように本実施形態のパチンコ遊技機１は、釘９を含む球誘導部材を透明な透明板１０に取り付け、この透明板１０の背面側に表示装置１１を配置するように構成している。これにより、遊技者は透明板１０を通して表示装置１１に表示される演出画像を見ながら遊技を楽しむことができる。また、この場合は表示装置１１を遊技盤３のほぼ全面に形成できるため迫力ある演出画像を楽しむことができる。そのうえで、本実施形態のパチンコ遊技機１は、透明板１０に取り付けた釘９を含む球誘導部材の調整位置を示した画像９ａからなる調整画面を表示装置１１に表示できるように構成した点に特徴がある。なお、詳細については後述する。
【０００７】
図３は本実施形態に係るパチンコ遊技機の遊技制御装置の構成を示したブロック図である。なお、遊技制御装置は遊技盤３を構成する表示装置１１の裏面側に例えばケースに収納された状態で取り付けられる。
遊技制御基板２１は、ＣＰＵ２２、ＲＯＭ２３、ＲＡＭ２４及び入出力インターフェース（以下、「Ｉ／Ｏ」と表記する）２５、２６を有し、当該パチンコ遊技機１の主たる制御を行う。また、後述する設定制御基板７１と共に図柄制御基板３１を制御して、釘９を含む球誘導部材の調整位置を示す調整画面を表示装置１１に表示させる制御などを行う。
遊技制御基板２１のＩ／Ｏ２５には、遊技盤３の始動口に設けられた始動スイッチ（ＳＷ）１３ａや始動ゲート１３ｂが接続されている。また遊技盤３の普通入賞口に設けられた普通入賞口スイッチ（ＳＷ）１４ａ、１４ｂ、大入賞口に設けられた大入賞口スイッチ（ＳＷ）１５ａ、大入賞口の開閉扉を開閉動作させるための大入賞口ソレノイド１５ｂ、大入賞口内の継続スイッチ（ＳＷ）１６、始動口の電動チューリップを開閉動作させるための始動口ソレノイド１７ａなどが接続されている。さらにＩ／Ｏ２５には、設定制御基板７１のＩ／Ｏ７６が接続されている。
一方、Ｉ／Ｏ２６には図柄制御基板３１のＩ／Ｏ３５と賞球制御基板６１のＩ／Ｏ６５が接続される。
図柄制御基板３１は表示装置１１等の表示制御を行うためのもので、ＣＰＵ３２、ＲＯＭ３３、ＲＡＭ３４、Ｉ／Ｏ３５、３６、３７を有し、Ｉ／Ｏ３６には液晶により構成された表示装置１１と、７セグメント等により構成された表示装置３８が接続されている。
またＩ／Ｏ３７は音声制御基板４１のＩ／Ｏ４５及びランプ制御基板５１のＩ／Ｏ５５と接続される。
音声制御基板４１はＣＰＵ４２、ＲＯＭ４３、ＲＡＭ４４、Ｉ／Ｏ４５、４６を有し、Ｉ／Ｏ４６に接続されているスピーカ８の音声制御や、発射レバー７内に内蔵した振動手段４７の制御等を行う。
【０００８】
ランプ制御基板５１はＣＰＵ５２、ＲＯＭ５３、ＲＡＭ５４、Ｉ／Ｏ５５、５６を有し、Ｉ／Ｏ５６に接続されている各種ランプ、例えば枠２を飾る装飾ランプ（ＬＥＤ）５７やガラス枠ランプ５８、サイドランプ５９等の制御を行う。
賞球制御基板６１は、ＣＰＵ６２、ＲＯＭ６３、ＲＡＭ６４、Ｉ／Ｏ６５、６６を有し、遊技制御基板２１からの制御信号に基づいてＩ／Ｏ６６に接続されている払出駆動モータ６７の駆動制御を行う。またＩ／Ｏ６６には定位置検出スイッチ（ＳＷ）６８ａや、払出球検出スイッチ（ＳＷ）６８ｂ、球有り検出スイッチ（ＳＷ）６８ｃ、満タン検出スイッチ（ＳＷ）６８ｄ等が接続されている。
設定制御基板７１は、ＣＰＵ７２、ＲＯＭ７３、ＲＡＭ７４、Ｉ／Ｏ７５、７６を有し、遊技盤３の透明板１０に取り付けられている釘９を含む球誘導部材の調整を行う際に、設定値に応じた調整画面を表示装置１１の画面上に表示する表示制御を行う。このため、ＲＯＭ７３には例えば予め設定値に対応した球誘導部材の調整画面データが記憶されている。
Ｉ／Ｏ７５には設定入力装置７７と釘配列入力装置７８が接続されている。
設定入力装置７７は、球誘導部材の調整に関する設定値を入力する入力装置であり、例えば図示しないタクトスイッチなどにより構成される。なお、設定入力装置７７により入力する設定値を表示装置３８により表示すれば、設定値自体を視認可能に構成することも可能である。
そして、このように構成された本実施形態のパチンコ遊技機においては、設定入力装置７７により設定値が入力されたときに、その設定値に応じた球誘導部材の調整画面を表示装置１１に表示できるように構成した。
【０００９】
設定入力装置７７により入力される設定値は、例えば発射レバー７により遊技盤３内に球を１００球打ち込んだ際に払い出される賞球の割合を示す値（ベース値）を、分かり易いように何段階かに分類したものであり、例えば設定値が設定１〜設定６に分類されている場合、設定１がベース値「２４」、設定２がベース値「２６」、設定３がベース値「２８」、設定４がベース値「３０」、設定５がベース値「３２」、設定６がベース値「３４」にそれぞれ対応している。従って、本実施形態のパチンコ遊技機１において、設定入力装置７７により設定１が入力された場合、設定制御基板７１は遊技盤３内に１００球打ち込んだ際に２４球の球が払い出されるような釘配列の調整画面を表示装置１１に表示するように制御する。また設定入力装置７７により設定６が入力された場合、設定制御基板７１は遊技盤３内に１００球打ち込んだ際に３４球の球が払い出されるような釘配列の調整画面を表示装置１１に表示するように制御する。
なお、ベース値の計算に用いる賞球は、特別遊技状態（大当たり状態）における賞球数を除いた値であるため、ベース値は始動口への入賞回数に影響を与えるものである。
ここで、ベース値に対応した調整画面の作成方法としては、例えば設定６の場合、始動口周辺の釘間隔を１３．００ｍｍのゲージ板を基準に作成し、設定１の場合、始動口周辺の釘間隔を１１．７５ｍｍのゲージ板を基準にして作成することが考えられる。なお、ゲージ板とは釘と釘の間隔を図るための板であり、通常は０．２５ｍｍ毎の異なる大きさの板により作成されている。
また同じ１３．００ｍｍのゲージ板を基準にして釘間隔の調整を行う場合でも、複数の釘配列パターンが考えられるので、例えば釘配列パターンの異なる複数の調整画面データを設定制御基板７１のＲＯＭ７３に格納しておくと、同じ設定値であっても複数の調整画面からいずれか一つの調整画面を選択できるように構成することが可能になる。
【００１０】
釘配列入力装置７８は、釘９を含む球調整部材の釘配列パターンを示した釘調整画面データを入力するための入力装置であり、例えば釘調整画面データが記録されたフラッシュメディア等の記録媒体を装填することで、設定制御基板７１内のＲＡＭ７４等に任意に作成した釘調整画面データを転送することができる。なお、設定制御基板７１内にフラッシュＲＯＭを設け、このフラッシュＲＯＭ内に釘調整画面データを転送して記憶させるようにしても良い。
このような釘調整画面データは、パーソナルコンピュータ（以下、パソコンという）等により作成することができ記録媒体を介して簡単に遊技機内にコピーすることが可能である。
このように本実施形態のパチンコ遊技機は、釘９を含む球誘導部材を取り付けた透明板１０の背面側に表示装置１１を配置し、透明板１０の前面側から表示装置１１の表示画面を透視できるように構成している。そのうえで、透明板１０に取り付けた釘９を含む球誘導部材の調整に関する設定値を入力する設定入力装置（設定入力手段）７７と、この設定入力装置７７の設定値に応じて設定制御基板７１と遊技制御基板２１とにより図柄制御基板３１を制御して、表示装置１１に球誘導部材を調整するための調整画面を表示するようにしている。なお、この場合は設定制御基板７１、遊技制御基板２１、図柄制御基板３１により調整画面表示制御手段が構成されることになる。
【００１１】
図４は、本実施形態のパチンコ遊技機の表示装置に表示される釘調整画面の一例であり、図４（ａ）は設定１（ベース値「２４」）の釘調整画面を、図４（ｂ）は設定６（ベース値「３４」）の釘調整画面をそれぞれ示した図である。なお、ベース値と釘配列の関係は遊技盤３全体の釘配列によって決定されるものであるが、ここではベース値に特に影響を与える始動口１３及び電動チューリップ１７周辺の釘配列を示す。
この図４（ａ）（ｂ）に示すように、本実施形態のパチンコ遊技機においては、釘９等の球誘導部材が取り付けられている透明板１０の背面側に表示装置１１が配置されていることから、図４（ａ）（ｂ）に示すように、表示装置１１に釘調整画面を表示した場合は、実線により示した釘９の背面に、破線により示した設定値に応じた釘画像（釘の頭部位置画像）９ａを表示することができる。
従って、釘調整者は表示装置１１に表示される釘画像９ａとずれている釘９をハンマー等により叩いて調整する。これにより、設定値（ベース値）に対応した釘調整を行うことができる。つまり、熟練した釘調整者でなくとも、釘等の球誘導部材を所望位置に容易に調整することができるようになる。
また上記説明ではベース値に基づいて釘調整を行う場合を例に挙げて説明したが、これはあくまでも一例であり、例えば打ち込み球に対する払い出し球の割合を示す機械割りと呼ばれる値に基づいて釘調整を行うことも可能である。
【００１２】
図５は、本実施形態のパチンコ遊技機の表示装置に表示される釘調整画面の一例であり、図５（ａ）は機械割りの値が小さい釘調整画面を示した図、図５（ｂ）は機械割りの値が大きい釘調整画面を示した図である。
なお、機械割りの値と釘配列の関係も遊技盤３全体の球誘導部材の配列によって決定されるものであるが、ここでは始動口１３及び電動チューリップ１７周辺の釘配列に加えて機械割りの値に影響を与える大入賞口１５周辺の釘配列を示す。
この図５（ａ）（ｂ）に示すように構成した場合も、透明板１０の背面側に表示装置１１が配置されていることから、釘９の背面に設定値に応じた釘画像９ａを表示することができる。
従って、釘調整者は表示装置１１に表示される釘画像９ａに合わせて釘９を調整するだけで、機械割りの値に対応した釘調整を行うことができる。つまり、熟練した釘調整者でなくとも、釘などの球誘導部材の調整を容易にしかも目的とする設定状態に精度良く調整することができるようになる。
なお、上記図３に示した遊技制御装置では、設定制御基板７１を遊技制御基板２１に接続するようにしているが、例えば図６に示すように設定制御基板７１を図柄制御基板３１に接続することも考えられる。
この場合は設定入力装置７７の設定値に応じて設定制御基板７１により図柄制御基板３１を制御して、表示装置１１に釘９を含む球誘導部材を調整するための調整画面を表示するようにしている。つまり、設定制御基板７１と図柄制御基板３１により調整画面表示制御手段が構成されることになる。
【図面の簡単な説明】
【００１３】
【図１】本発明の実施形態に係るパチンコ遊技機の全体正面図。
【図２】本実施形態に係るパチンコ遊技機の遊技盤の構造を説明する説明図。
【図３】本実施形態に係るパチンコ遊技機の遊技制御装置の構成を示したブロック図。
【図４】本実施形態のパチンコ遊技機の表示装置に表示される釘調整画面の一例を示す図。
【図５】本実施形態のパチンコ遊技機の表示装置に表示される釘調整画面の一例を示す図。
【図６】本実施形態に係る遊技制御装置の他の構成例を示したブロック図。
【符号の説明】
【００１４】
１  パチンコ遊技機、２  枠、３  遊技盤、４  ガラス枠、５  上受け皿、６  下受け皿、７  発射レバー、８  スピーカ、９  釘、１０  透明板、１１  表示装置、１２  ケーブル、１３ａ  始動ＳＷ、１３ｂ  始動ゲート、１４ａ、１４ｂ  普通入賞口ＳＷ、１５ａ  大入賞口ＳＷ、１５ｂ  大入賞口ソレノイド、１６  継続ＳＷ、１７  電動式チューリップ、１７ａ  始動口ソレノイド、２０  遊技制御装置、２１  遊技制御基板、３１  図柄制御基板、４１  音声制御基板、５１  ランプ制御基板、６１  賞球制御基板、７１  設定制御基板、７７  設定入力装置、７８  釘配列入力装置
【図１】
2006204608.tif 000003
【図２】
2006204608.tif 000004
【図３】
2006204608.tif 000005
【図４】
2006204608.tif 000006
【図５】
2006204608.tif 000007
【図６】
2006204608.tif 000008